(57)【要約】【課題】単方向通信を行う負荷制御システムにおいて、インバンドノイズ（In-band noise）がある環境下においても確実に負荷を開閉可能にする。【解決手段】照明制御システムは、人感センサで人体を検知するとそれに応じて点灯信号を送信フレームとして送信する送信器と、送信フレームを受信し点灯信号に応じて照明負荷を制御するスイッチを有している。送信器は、送信フレームを送信するとき、互いに周波数が異なる３つの無線チャンネルで、同一の送信フレームについて合計３回送信する。スイッチは、それら３つのチャンネルを切り替えて信号受信可能であり、例えば第１チャンネルで信号を受信したとき、当該信号がインバンドノイズである場合には、自動的にチャンネルを他のチャンネルに変更する。インバンドノイズが小さいチャンネルで送信フレームを確実に受信可能である。【選択図】図４
2010056613.tif 000002
【特許請求の範囲】
【請求項１】
信号を電波により送信する送信器と、電波を受信する機能を有し、負荷に接続されて少なくとも当該負荷のオン・オフを制御する制御機能を備えた受信器とを有し、
前記送信器は、アンテナと、前記アンテナから信号を送信する無線送信回路部と、所定の状態を検知したときにトリガ信号を出力するトリガ検知手段と、前記トリガ信号に基づいて前記無線送信回路部を制御し、所定の信号を送信フレームに含めて送信させる制御部とを備え、
前記受信器は、アンテナと、前記アンテナを用いて電波を受信し信号を抽出する無線受信回路部と、電源から前記負荷への給電路を開閉する負荷制御回路部と、前記無線受信回路部で受信された信号に応じて前記負荷制御回路の動作制御を行う制御部とを備え、
所定の状態が前記トリガ検知手段に検知されるとそれに応じて前記負荷が動作するように構成された負荷制御システムにおいて、
前記無線送信回路部は、前記送信フレームの送信時に、当該送信フレームを、周波数が互いに異なる複数の無線チャンネルを切り替えながら、前記複数の無線チャンネル毎に送信可能に構成されており、
前記無線受信回路部は、前記複数の無線チャンネルを切り替えて信号を受信可能に構成されており、前記複数の無線チャンネルのうち、前記受信器の制御部により選択された、少なくとも他の一の無線チャンネルよりもインバンドノイズ（In-band noise）が小さくなる無線チャンネルで信号を受信可能に構成されていることを特徴とする負荷制御システム。
【請求項２】
前記受信器の制御部は、前記無線受信回路部で受信された信号のレベルが所定値より大きく、且つ、当該信号についてビット同期方式による同期がとれない場合には、前記無線受信回路部が受信する無線チャンネルを、前記複数の無線チャンネルのうち現在の無線チャンネルとは異なる無線チャンネルに変更させることを特徴とする請求項１記載の負荷制御システム。
【請求項３】
前記送信フレームは、前記所定の信号のほか、少なくとも前記受信器の制御部が照合可能な所定の受信データを含み、
前記受信器の制御部は、前記無線受信回路部で受信された信号のレベルが所定値より大きく、且つ、当該信号についてビット同期方式による同期がとれるが前記所定の受信データの照合ができない場合には、前記無線受信回路部が受信する無線チャンネルを、前記複数の無線チャンネルのうち現在の無線チャンネルとは異なる無線チャンネルに変更させることを特徴とする請求項１記載の負荷制御システム。
【発明の詳細な説明】
【技術分野】
【０００１】
本発明は、送信器から電波により送信した信号を受信器により受信する単方向通信を行い、当該信号に応じて負荷を制御する負荷制御システムに関する。
【背景技術】
【０００２】
近年、送信器から送信された無線信号を壁面などの造営面に配設されたスイッチにより受信する単方向通信を行い、スイッチが受信した信号に基づいて照明装置などの負荷の開閉動作を行うように構成された負荷制御システムが用いられている。無線通信を利用することにより、例えば高機能なスイッチを、当該負荷制御システムの他の部分との間の配線作業等を行うことなく、既設のスイッチに替えて又は新規に、容易に配設することができる。このような無線通信を利用する負荷制御システムにおいて、用途によって、電波による無線通信により送信器とスイッチとの間で信号を送受信する方が、赤外光により送受信する場合よりも望ましい場合がある。これは、無線通信によれば、赤外光による場合よりも、電波の透過性や回折性等により、スイッチに信号を送信可能になる送信器のエリアが広くなる等のメリットがあるからである。しかしながら、このように電波による無線通信の場合でも、送信器とスイッチとの間で適正に通信を行うことができなくなる場合があり、その場合、例えばユーザが送信器を操作したとしてもユーザの意図したとおりに負荷が開閉されなくなる。
【０００３】
このような問題は、例えば、インバンドノイズ（In-band noise）がある場合に発生することがある。すなわち、送信器とスイッチとの間での通信を行うチャンネルと同じ周波数帯域で電波を出す電子機器等がスイッチの近くにあったり、同様の無線通信を行う別の負荷制御システムが近接している場合、そのノイズの影響により、送信器から送信された信号を受信しにくくなる。その場合、通信を可能にするためには、ユーザが送信器や受信器の設定を変更し、通信を行うチャンネルを別のチャンネルに変更する等の対策を行うことが必要であり、ユーザの負担が増えるという問題が生じる。
【０００４】
ここで、特許文献１には、リモコン装置を用いた照明装置において、送信側と受信側とで定期的にチャンネルを変更し、制御信号を受信することが開示されている。しかしながら、この照明装置では、受信側が頻繁にチャンネルを切り替えるため、受信側において電力の消費が比較的大きくなるという問題がある。
【０００５】
また、特許文献２には、車両用施解錠操作を行うための通信制御システムにおいて、ノイズ対策として、双方向通信により送信周波数変更制御を行い、確実に施解錠操作を行えるようにすることが開示されている。しかしながら、このような通信方式は、双方向通信を行うために複雑な制御を必要とするものであるため、上述のように単方向通信を行えばよいような、構成が単純な負荷制御システムに採用すると、製造コストが増加する。
【特許文献１】特開２００６−２７８０６０号公報
【特許文献２】特開２００８−６０９４１号公報
【発明の開示】
【発明が解決しようとする課題】
【０００６】
本発明は、上記問題点を鑑みてなされたものであり、インバンドノイズがある環境下においても送信器から受信器への単方向通信を確実に行って負荷を開閉させることが容易に可能であり、受信器の消費電力が小さい負荷制御システムを提供することを目的とする。
【課題を解決するための手段】
【０００７】
上記目的を達成するため、請求項１の発明は、信号を電波により送信する送信器と、電波を受信する機能を有し、負荷に接続されて少なくとも当該負荷のオン・オフを制御する制御機能を備えた受信器とを有し、前記送信器は、アンテナと、前記アンテナから信号を送信する無線送信回路部と、所定の状態を検知したときにトリガ信号を出力するトリガ検知手段と、前記トリガ信号に基づいて前記無線送信回路部を制御し、所定の信号を送信フレームに含めて送信させる制御部とを備え、前記受信器は、アンテナと、前記アンテナを用いて電波を受信し信号を抽出する無線受信回路部と、電源から前記負荷への給電路を開閉する負荷制御回路部と、前記無線受信回路部で受信された信号に応じて前記負荷制御回路の動作制御を行う制御部とを備え、所定の状態が前記トリガ検知手段に検知されるとそれに応じて前記負荷が動作するように構成された負荷制御システムにおいて、前記無線送信回路部は、前記送信フレームの送信時に、当該送信フレームを、周波数が互いに異なる複数の無線チャンネルを切り替えながら、前記複数の無線チャンネル毎に送信可能に構成されており、前記無線受信回路部は、前記複数の無線チャンネルを切り替えて信号を受信可能に構成されており、前記複数の無線チャンネルのうち、前記受信器の制御部により選択された、少なくとも他の一の無線チャンネルよりもインバンドノイズ（In-band noise）が小さくなる無線チャンネルで信号を受信可能に構成されているものである。
【０００８】
請求項２の発明は、請求項１の発明において、前記受信器の制御部は、前記無線受信回路部で受信された信号のレベルが所定値より大きく、且つ、当該信号についてビット同期方式による同期がとれない場合には、前記無線受信回路部が受信する無線チャンネルを、前記複数の無線チャンネルのうち現在の無線チャンネルとは異なる無線チャンネルに変更させるものである。
【０００９】
請求項３の発明は、請求項１の発明において、前記送信フレームは、前記所定の信号のほか、少なくとも前記受信器の制御部が照合可能な所定の受信データを含み、前記受信器の制御部は、前記無線受信回路部で受信された信号のレベルが所定値より大きく、且つ、当該信号についてビット同期方式による同期がとれるが前記所定の受信データの照合ができない場合には、前記無線受信回路部が受信する無線チャンネルを、前記複数の無線チャンネルのうち現在の無線チャンネルとは異なる無線チャンネルに変更させるものである。
【発明の効果】
【００１０】
請求項１の発明によれば、受信器が、複数の無線チャンネルのうちインバンドノイズが小さい無線チャンネルで待機し、送信器は、各無線チャンネルで送信フレームの送信を行うので、いずれかの無線チャンネルでインバンドノイズがある環境下において単純な単方向通信を行う場合であっても、確実に送信フレームを受信可能にすることができる。無線チャンネルの変更は受信器の制御部により自動的に行われるので、ユーザに通信を行う無線チャンネルの変更作業などの負担をかけることがなく、容易に且つ確実に通信可能にすることができる。受信器では、信号受信に備えて頻繁に複数の無線チャンネルを切り替えるような動作を行わないので、従来の受信器と比較して、消費電力を抑えることができる。
【００１１】
請求項２の発明によれば、受信器で受信された信号についてビット同期がとれない場合には、受信器側の無線チャンネルを変更することができる。従って、特に他の電気器具等で発生するようなインバンドノイズが存在する場合等に、通信を行う無線チャンネルをインバンドノイズが小さい無線チャンネルに変更して、確実に通信可能にすることができる。
【００１２】
請求項３の発明によれば、受信器で受信された信号について所定の受信データの照合ができない場合には、受信器側の無線チャンネルを変更することができる。従って、特に、同様の通信を同じ無線チャンネルで行うような負荷制御システムが近くにあり、そのシステムからの電波などによるインバンドノイズが存在する場合等にも、通信を行う無線チャンネルをインバンドノイズが小さい無線チャンネルに変更して、確実に通信可能にすることができる。
【発明を実施するための最良の形態】
【００１３】
以下、本発明の一実施形態について図面を参照して説明する。図１は、本実施形態に係る負荷制御システムの一例として、照明制御システムを示す。照明制御システム１は、負荷としての照明装置１５０と、無線信号を電波により送信する送信器１５１と、例えば商用交流電源である電源（図２に示す）５０と照明装置１５０に電線を介して直列接続されたスイッチ（受信器）１５２等で構成されている。送信器１５１及びスイッチ１５２は、例えば、合成樹脂製の矩形箱状の器体を有するワイドハンドル形連用スイッチ（ＪＩＳ  Ｃ  ８３０４参照）の２個モジュール寸法に形成されており、規格に準拠した取付枠等に取り付けられて、壁面内に埋め込まれているスイッチボックス内に収められ、配設される。
【００１４】
送信器１５１には、例えば、人感センサ（トリガ検知手段）１５１ａや、照度センサ１５１ｂ等が設けられている。また、スイッチ１５２は、後述するように送信器１５１から送信され受信した無線信号に応じて照明装置１５０を点灯又は消灯させる。すなわち、この照明制御システム１は、送信器１５１からスイッチ１５２への単方向通信方式を採用している。なお、本実施形態においては、負荷として、白熱灯からなる照明装置１５０を例示するが、これに限定する主旨ではなく、蛍光灯及び蛍光灯電子安定器などの他の照明装置の他、照明装置以外の負荷であってもよい。また、スイッチ１５２は、例えば外部からユーザが操作可能な操作ハンドルを有しており、ユーザが、この操作ハンドルを直接に操作することにより、照明装置１５０を点灯又は消灯させることができるように構成されていてもよい。さらにまた、送信器１５１やスイッチ１５２は、上記のようにして壁面内に埋め込まれるものに限られず、例えば壁面や天井等に取り付けられるものであってもよい。
【００１５】
図２は、送信器１５１及びスイッチ１５２のブロック構成を示す。送信器１５１は、人感センサ１５１ａや照度センサ１５１ｂのほか、例えば小型で利得が大きいループアンテナであるアンテナ１１と、アンテナ１１から信号を送信する無線送信回路部１２と、送信器１５１の動作を制御する制御部１３と、それらの電気回路に電力を供給する電池１４等を備えている。送信器１５１は、例えば、各部が、壁面に埋め込まれた筐体内に収納されて構成されている。
【００１６】
人感センサ１５１ａは、例えば、焦電素子を用いたセンサであり、所定の範囲から受光する赤外線の変化を検知することにより、所定の状態すなわち人体Ｈが所定の範囲内にある状態を検知可能に構成されている。人感センサ１５１ａは、人体Ｈを検知すると、トリガ信号を制御部１３に出力するように構成されている。照度センサ１５１ｂは、例えばフォトダイオードであり、周囲の明るさに応じて信号を制御部１３に出力する様に構成されている。制御部１３は、マイクロコンピュータ等で構成されており、無線送信回路部１２等の制御を行う。制御部１３は、トリガ信号が入力されたときに、そのトリガ信号に応じて、照明装置１５０を点灯させるための点灯信号を生成する。点灯信号は、後述するように、所定の送信フレーム中に含められ、無線送信回路部１２に入力される。ここで、制御部１３は、照度センサ１５１ｂから入力される信号に基づき、周囲が十分明るいときには、点灯信号を生成しないように構成されている。これにより、照明装置１５０を点灯させる必要がないような場合には照明装置１５０を点灯しないようにし、省電力化を実現している。なお、送信器１５１に照度センサ１５１ｂを設けず、上記のような周囲の明るさに応じた制御を行わないようにしてもよい。
【００１７】
無線送信回路部１２は、制御部１３から点灯信号を含む送信フレームが入力されると、その送信フレームを変調及び増幅し、アンテナ１１から所定の周波数の無線チャンネル（以下、チャンネルと称する）の電波により送信する。このように、送信器１５１は、人感センサ１５１ａに加えられた押下操作に基づいて、点灯信号を含む送信フレームを搬送波に重畳して送信する。なお、送信器１５１には、人感センサ１５１ａの他、さらに別のセンサや操作ボタン等が設けられており、制御部１３が、センサによる検知信号や操作が加えられた操作ボタンからの操作信号に応じて照明装置１５０を制御するための制御信号等を生成するように構成されていてもよい。このように構成することにより、照明装置１５０の動作をさらに多様に制御したり遠隔操作したりすることができる。
【００１８】
スイッチ１５２は、例えばループアンテナ等のアンテナ２１と、アンテナ２１により電波を受信する無線受信回路部２２と、スイッチ１５２の動作を制御する制御部２３と、照明装置１５０に接続され照明装置１５０への給電路を開閉する負荷制御回路部２４と、例えば１００Ｖの電源５０から照明装置１５０に電力を供給する電源回路２５等を備えている。
【００１９】
無線受信回路部２２は、制御部２３の制御の下、所定の周波数のチャンネルの電波を受信する。負荷制御回路部２４は、電源回路２５から照明装置１５０への給電路を開閉するスイッチング素子（例えば、トライアックなど）を有する。制御部２３は、マイクロコンピュータ等で構成されており、無線受信回路部２２で受信された信号に応じて、負荷制御回路部２４のスイッチング素子のスイッチング制御等を行う。制御部２３は、例えば、無線受信回路部２２で点灯信号を含む送信フレームが受信されたときには、スイッチング制御を行い、照明装置１５０に給電する状態とする。また、制御部２３は、例えば、上記のようにスイッチング制御を行ってから新たな点灯信号を含む送信フレームを受信せずに所定時間が経過したときには、スイッチング制御を行い、照明装置１５０に給電しない状態とする。電源回路２５は、制御部２３等に動作電源を供給する。なお、スイッチ１５２において、負荷制御回路部２４が照明装置１５０への給電路を開成しているときには、電源回路２５は、コンデンサに充電してスイッチ１５２の動作電源を生成する。他方、負荷制御回路部２４が電源回路２５から照明装置１５０への給電路を閉成しているときには、照明装置１５０の点灯状態に影響を及ぼさない範囲で定期的に給電路を所定の時間だけ開成してコンデンサに充電して、所定の時間外の閉成時にはコンデンサから放電して動作電源を生成する。これにより、スイッチ１５２は、電源回路２５と照明装置１５０とを２線で直列接続することが可能となっている。なお、この種の電源回路２５は従来から公知（例えば、特開２０００−３５７４４３号公報等を参照）であるから、詳細な構成及び動作についての図示並びに説明は省略する。また、電源回路２５の構成はこれに限られず、電源５０からスイッチ１５２に常時給電するようにしてもよい。
【００２０】
図３は、送信器１５１から送信されスイッチ１５２で受信可能な送信フレームの構成を示す。送信フレームは、例えば、先頭から順に、ビット同期、ユニークワード（ＵＷ）、ＩＤ、データ信号（ＤＡＴＡ）、誤り訂正符号（ＣＲＣ）の各ブロックを有している。点灯信号は、送信フレームのうち、データ信号ブロックに含められる。スイッチ１５２では、制御部２３が、受信した電波から抽出された信号から、ビット同期ブロックにより信号の同期をとって送信フレームを検出し、その後のユニークワードブロックとＩＤブロックを読み取って所定の値と照合する（データ照合）。そして、ユニークワードブロック及びＩＤブロックの所定の値とが照合できるときには、当該送信フレームを、送信器１５１から送信されたものであると判別し、データ信号を解釈するように構成されている。なお、送信フレームは、必ずしも上記のような構成に限られるものではない。
【００２１】
照明制御システム１では、送信器１５１の人感センサ１５１ａにより人体Ｈが検知されると、それに応じて、スイッチ１５２の制御部２３が照明装置１５０への電力供給をオンする。すなわち、人体Ｈが存在することが人感センサ１５１ａにより検知されて送信器１５１から点灯信号を含む送信フレームが送出される度に、当該送信フレームを受信したスイッチ１５２の制御部２３による負荷制御回路部２４の制御が行われる。それにより、負荷制御回路部２４のスイッチング素子のスイッチングが行われて照明装置１５０が点灯されるか、又は照明装置１５０の点灯状態が維持される。このように、照明制御システム１は、ユーザ等の人体Ｈが所定の範囲内に存在する状態になったとき、自動的に照明装置１５０を点灯状態にする。
【００２２】
ここで、送信器１５１の無線送信回路部１２は、例えばＰＬＬシンセサイザを有している。無線送信回路部１２は、周波数が互いに異なる、例えば第１チャンネル、第２チャンネル、及び第３チャンネルの３つのチャンネルから１つのチャンネルを選択して、当該チャンネルで信号を電波により送信可能である。また、スイッチ１５２の無線受信回路部２２は、例えばＰＬＬシンセサイザを有しており、上記のように送信器１５１から送信可能な３つのチャンネルの電波を受信可能である。無線送信回路部１２から信号を送信する際のチャンネルの選択は、例えば、制御部１３の制御に基づいて行われる。また、無線受信回路部２２で受信するチャンネルの選択は、例えば、制御部２３の制御に基づいて行われる。
【００２３】
本実施形態において、無線送信回路部１２は、送信フレームの送信時に、当該送信フレームを、上記３つのチャンネルを切り替えながら、それら３つのチャンネル毎に送信する。また、無線受信回路部２２は、この３つのチャンネルのうち、少なくとも他の一のチャンネルよりもインバンドノイズ（In-band noise）が小さくなるチャンネルで信号を受信するように構成されている。以下に、スイッチ１５２でチャンネル変更動作を伴う、照明制御システム１において行われる通信方式について説明する。
【００２４】
図４は、本実施形態において行われる通信の方式の態様を示す。先ず、送信器１５１は、人感センサ１５１ａがトリガ信号を出力して送信フレームを送信する場合に、その送信フレームを、第１チャンネル（ＣＨ１）と、第２チャンネル（ＣＨ２）と、第３チャンネル（ＣＨ３）との３つのチャンネルで合計３回送信する。そのとき、無線送信回路部１２は、制御部１３による制御の下、送信フレームを、第１チャンネルで送信し、その後、チャンネルを切り替えて第２チャンネルで送信し、さらにその後チャンネルを切り替えて第３チャンネルで送信するというように、３回の送信を略連続して行う。
【００２５】
他方、スイッチ１５２の無線受信回路部２２は、例えば、３つのチャンネルのうち制御部２３により選択された１つのチャンネルで、信号の送信に備えて待機している。図において、ＣＨｘ（ｘ＝１，２，３）とあるのは、スイッチ１５２では、第１チャンネル（ＣＨ１）、第２チャンネル（ＣＨ２）、及び第３チャンネル（ＣＨ３）のうち１つのチャンネルを選択して受信可能に構成されていることを示している。ここで、制御部２３は、上記のように待機中に、所定値以上の信号レベルで、インバンドノイズと考えられる信号を受信したときには、無線受信回路部２２を制御し、信号を受信するチャンネルを現在のチャンネルから他のチャンネルに変更するチャンネル変更動作を行う。例えば、無線受信回路部２２は、スイッチ１５２の動作が開始されると、先ず、３つのチャンネルのうち第１チャンネルで信号受信を行い、上記のようにチャンネル変更動作を行う度に、チャンネルを、第１チャンネル、第２チャンネル、第３チャンネル、第１チャンネル、第２チャンネル、…というように変更する。なお、チャンネルの変更順はこれに限られるものではない。
【００２６】
本実施形態において、制御部２３は、例えば、受信した信号について、ビッド同期方式による同期がとれない場合には、当該信号がインバンドノイズであると判断する。また、制御部２３は、受信した信号について、本来その信号が送信器１５１からの送信フレームであるならば照合できるはずの、ユニークワード部及びＩＤ部の照合ができない場合には、当該信号がインバンドノイズであると判断する。制御部２３がこのように受信した信号についてインバンドノイズがある旨を判断した場合、上記のようにその信号のレベルが所定値以上であれば、当該インバンドノイズの影響により送信器１５１からの送信フレームを受信することができなくなる可能性が高いことから、チャンネル変更動作を行い、インバンドノイズがより小さいチャンネルで受信を試みる。
【００２７】
図５は、照明制御システム１において考えられるインバンドノイズの発生源や特徴等をまとめた表である。図に示すように、上記のようにビット同期がとれる可能性がないような信号としては、例えば、線スペクトル妨害波が考えられる。また、ビット同期がとれても、データ照合ができず受信を確定可能ではないような信号としては、本照明制御システム１に近接して用いられる同等の制御システム又は他の制御システムの同一チャンネルの信号や、モータなどから輻射される広帯域ノイズなどが挙げられる。すなわち、制御部２３は、受信した信号について上記のようにインバンドノイズであるかどうかを判別することにより、そのとき受信しているチャンネルについて、同等システムや他システムの同一チャンネル波や、線スペクトル妨害波、又は広帯域ノイズ等、送信フレームが重畳されている希望波以外のインバンドの電波の存在の有無を確実に判別することができる。
【００２８】
このように、本実施形態においては、スイッチ１５２が、複数のチャンネルのうちインバンドノイズが小さいチャンネルで待機し、送信器１５１は、各チャンネルで送信フレームの送信を行うので、いずれかのチャンネルでインバンドノイズがある環境下において、単純な単方向通信を行う場合であっても、確実に送信フレームを受信させることができる。チャンネルの変更は、制御部２３により自動的に行われるので、ユーザにチャンネルの変更作業などの負担をかけることがなく、容易に且つ確実に通信可能にすることができる。スイッチ１５２では、信号受信に備えて頻繁に複数のチャンネルを切り替えるような動作を行わないので、従来と比較して、消費電力を抑えることができる。また、上述のように、受信しているチャンネルについて希望波以外のインバンドの電波の存在の有無を確実に判別することができるので、通信を行うチャンネルをインバンドノイズが小さいチャンネルとして、より確実に通信可能にすることができる。
【００２９】
なお、本発明は上記実施形態の構成に限定されるものではなく、発明の趣旨を変更しない範囲で適宜に種々の変形が可能である。例えば、無線送信回路部１２が送信可能で、且つ、無線受信回路部２２が受信可能なチャンネルの数は、３つに限らず、２つであっても、又は４つ以上であってもよい。このようにチャンネルの数が多い場合でも、同様に、自動的にチャンネルを変更し、確実に通信可能にすることができる。また、例えば、送信器１５１は、上記のような人感センサ１５１ａに替えて、ユーザによる押下操作等があった所定の状態を検知し、それに応じてトリガ信号を出力するような操作ボタンや、例えば温度や時刻を検知してそれに応じてトリガ信号を出力するようなセンサ等、所定の状態を検知してトリガ信号を出力するものをトリガ検出手段として用いることができる。例えば、送信器１５１は、照度センサ１５１ｂを有さず、人感センサ１５１ａに替えてフォトダイオード等を用いた照度センサをトリガ検知手段として有していてもよい。すなわち、本発明は、照度センサで検知される照度が所定の値より小さくなったときに照度センサがトリガ信号を出力しそれに応じて送信フレームを送受信するように構成された、例えば室内が暗いときに照明を点灯させるような照明制御システムにも同様に適用可能である。さらにまた、本発明は、上述のような壁面等に配置される送信器１５１を用いた照明制御システム１に限られず、ユーザが把持して操作可能なリモートコントローラ型の送信器を用いた照明制御システムにも適用可能である。このような構成であっても、スイッチ１５２において、インバンドノイズのあるチャンネルは避け、より確実に通信可能なチャンネルで信号受信を行うようにすることにより、確実に照明装置１５０のオン・オフを制御することができる。
【００３０】
なお、本発明は、上述のように照明装置のオン・オフを制御する照明制御システムのほか、送信器から送信された信号に応じて動作をオン・オフする空調システムや給湯システム、又は送信器から送信された所定の信号を受信して通報動作を行う防犯システムなど、他の用途に用いられる負荷制御システムにおいても用いることが可能である。すなわち、その負荷制御システムの動作を、信号を電波により送信することにより遠隔制御するために用いられるような送信器において、上述のような態様で受信側のチャンネル変更を自動的に行って信号を受信するように構成することにより、インバンドノイズがある環境下においても、通信の失敗を防止し、容易且つ確実に負荷の制御を行うことができる。
【図面の簡単な説明】
【００３１】
【図１】本発明の一実施形態に係る照明制御システムの一例を示す図。
【図２】上記照明制御システムの送信器及びスイッチの構成を示すブロック図。
【図３】上記照明制御システムにおいて送受信される送信フレームの構成を示す図。
【図４】上記照明制御システムの通信方式の概要を示す図。
【図５】上記照明制御システムのスイッチが受信しうる電波の種類と各電波についての受信可能性を示す表。
【００３２】
１  照明制御システム（負荷制御システム）
１１  （送信器の）アンテナ
１２  無線送信回路部
１３  （送信器の）制御部
２１  （受信器の）アンテナ
２２  無線受信回路部
２３  （受信器の）制御部
２４  負荷制御回路部
２５  電源回路
５０  電源
１５０  照明装置（負荷）
１５１  送信器
１５１ａ  人感センサ（トリガ検出手段）
１５２  スイッチ（受信器）
【図１】
2010056613.tif 000003
【図２】
2010056613.tif 000004
【図３】
2010056613.tif 000005
【図４】
2010056613.tif 000006
【図５】
2010056613.tif 000007